(57)【要約】      （修正有）【課題】携帯電話機等で相手と連絡が取れなくなっても、相手の最新の居場所を予測でき、相手を探す範囲を絞る。【解決手段】管理サーバは、複数のＩＤリーダのうちの第１ＩＤタグと通信したＩＤリーダ群からの第１ＩＤとＩＤリーダ識別子とチェック時間とを時系列に受信し、それらを時系列にＩＤリーダチェック一覧テーブルに格納する。ユーザ端末は第１ＩＤを含む検索要求を管理サーバに送信し、管理サーバはＩＤリーダチェック一覧テーブルに格納されたＩＤリーダ識別子の中から、検索要求に含まれる第１ＩＤに対応するＩＤリーダ群のＩＤリーダ識別子とチェック時間とを読み出す。管理サーバはＩＤリーダ設置場所テーブルに格納されたＩＤリーダ設置場所名の中から、ＩＤリーダ群のＩＤリーダ識別子に対応するＩＤリーダ設置場所名群を読み出し、第１ＩＤとＩＤリーダ設置場所名群とチェック時間とを時系列で表す検索結果をユーザ端末に送信する。【選択図】図１
2010212816.tif 000002
【特許請求の範囲】
【請求項１】
第１ユーザが利用するために予め発行され、自己を識別する第１ＩＤを保持する第１ＩＤタグと、
それぞれ複数の設置場所に設置され、自己を識別するＩＤリーダ識別子を保持し、前記第１ユーザに携帯される前記第１ＩＤタグと自己との距離が所定距離であるときに、前記第１ＩＤタグから前記第１ＩＤを読み取り、前記第１ＩＤと、前記ＩＤリーダ識別子と、そのときの時刻を表すチェック時間とを送信する複数のＩＤリーダと、
前記複数のＩＤリーダとネットワークを介して接続された管理サーバと、
前記第１ユーザにより前記第１ＩＤが予め通知された第２ユーザに利用され、前記管理サーバとインターネットを介して接続され、前記第１ＩＤを含む検索要求を前記管理サーバに送信するユーザ端末と
を具備し、
前記管理サーバは、
ＩＤリーダチェック一覧テーブルと、
前記複数のＩＤリーダの各々の前記ＩＤリーダ識別子と前記複数の設置場所の各々を表すＩＤリーダ設置場所名とを対応付けるＩＤリーダ設置場所テーブルと
を具備し、
前記複数のＩＤリーダのうちの、前記第１ＩＤタグと通信したＩＤリーダ群からの前記第１ＩＤと前記ＩＤリーダ識別子と前記チェック時間とを時系列に受信し、それらを時系列に前記ＩＤリーダチェック一覧テーブルに格納し、
前記ユーザ端末からの前記検索要求を受信し、前記ＩＤリーダチェック一覧テーブルに格納されたＩＤリーダ識別子の中から、前記検索要求に含まれる前記第１ＩＤに対応する前記ＩＤリーダ群の前記ＩＤリーダ識別子と前記チェック時間とを読み出し、前記ＩＤリーダ設置場所テーブルに格納されたＩＤリーダ設置場所名の中から、前記ＩＤリーダ群の前記ＩＤリーダ識別子に対応するＩＤリーダ設置場所名群を読み出し、前記第１ＩＤと前記ＩＤリーダ設置場所名群と前記チェック時間とを時系列で表す検索結果を前記ユーザ端末に送信する
連絡システム。
【請求項２】
それぞれ前記複数の設置場所に設置され、それぞれ前記複数のＩＤリーダに接続された複数のメッセージ表示部と、
前記第２ユーザが利用するために予め発行され、自己を識別する第２ＩＤを保持する第２ＩＤタグと
を更に具備し、
前記管理サーバは、
メッセージ一覧テーブル
を更に具備し、
前記ユーザ端末は、あて先ＩＤとして前記第１ＩＤと、送り主ＩＤとして前記第２ＩＤと、第１ユーザへのメッセージとして第１ユーザ宛メッセージとを含むメッセージ入力要求を前記管理サーバに送信し、
前記管理サーバは、前記ユーザ端末からの前記メッセージ入力要求を受信し、前記メッセージ入力要求に含まれる前記第１ＩＤと前記送り主ＩＤと前記第１ユーザ宛メッセージと、そのときの時刻を表すメッセージ登録時間とを前記メッセージ一覧テーブルに格納し、
前記第１ユーザに携帯される前記第１ＩＤタグと、前記複数のＩＤリーダのうちの１つのＩＤリーダとの距離が所定距離であるときに、前記１つのＩＤリーダは、前記第１ＩＤタグから前記第１ＩＤを読み取り、前記ＩＤリーダ識別子と、そのときの時刻を表すチェック時間とを送信し、
前記管理サーバは、
前記１つのＩＤリーダからの前記第１ＩＤと前記ＩＤリーダ識別子と前記チェック時間とを受信し、それらを前記ＩＤリーダチェック一覧テーブルに格納し、
前記メッセージ一覧テーブルに格納されたメッセージの中から、前記メッセージ登録時間が最新の時刻であり、且つ、前記第１ＩＤに対応する前記第１ユーザ宛メッセージを選択し、
前記第１ユーザ宛メッセージを前記１つのＩＤリーダに送信し、
前記１つのＩＤリーダは、前記複数のメッセージ表示部のうちの、前記１つのＩＤリーダに接続されたメッセージ表示部に前記第１ユーザ宛メッセージを表示する
請求項１に記載の連絡システム。
【請求項３】
前記管理サーバは、
複数のユーザと、複数のＩＤと、前記複数のユーザにより予め決定された複数のパスワードとを対応付けるユーザ一覧テーブル
を更に具備し、
前記ユーザ端末は、前記第２ＩＤと、前記第２ユーザのパスワードとを前記管理サーバに送信し、
前記管理サーバは、前記ユーザ端末からの前記第２ＩＤと前記第２ユーザのパスワードとが前記ユーザ一覧テーブルに対応付けられて格納されているとき、前記ユーザ端末と前記管理サーバとの通信を許可する認証結果を送信する
請求項２に記載の連絡システム。
【請求項４】
前記ユーザ端末は、前記管理サーバにログイン要求を前記管理サーバに送信し、
前記管理サーバは、前記ログイン要求に応じて、ＩＤ入力欄とパスワード入力欄とを含むログイン画面を表すデータを送信し、
前記ユーザ端末は、前記ログイン画面の前記ＩＤ入力欄、前記パスワード入力欄にそれぞれ前記第２ＩＤ、前記第２ユーザのパスワードを入力し、前記ＩＤ入力欄、前記パスワード入力欄にそれぞれ入力された前記第２ＩＤ、前記第２ユーザのパスワードを前記管理サーバに送信し、
前記管理サーバは、前記ユーザ端末からの前記第２ＩＤと前記第２ユーザのパスワードとが前記ユーザ一覧テーブルに対応付けられて格納されているとき、前記認証結果として前記ユーザ端末に対してログインを許可する
請求項３に記載の連絡システム。
【請求項５】
前記ユーザ端末は、前記管理サーバにログインしているとき、検索入力画面要求を前記管理サーバに送信し、
前記管理サーバは、前記検索入力画面要求に応じて、検索ＩＤ入力欄を含む検索入力画面を表すデータを送信し、
前記ユーザ端末は、前記検索入力画面の前記検索ＩＤ入力欄に前記第１ＩＤを入力し、前記検索ＩＤ入力欄に入力された前記第１ＩＤを含む前記検索要求を前記管理サーバに送信する
請求項４に記載の連絡システム。
【請求項６】
前記ユーザ端末は、前記管理サーバにログインしているとき、メッセージ入力画面要求を前記管理サーバに送信し、
前記管理サーバは、前記メッセージ入力画面要求に応じて、あて先ＩＤ入力欄とメッセージ入力欄とを含むメッセージ入力画面を表すデータを送信し、
前記ユーザ端末は、前記メッセージ入力画面の前記あて先ＩＤ入力欄、メッセージ入力欄にそれぞれ前記あて先ＩＤとして前記第１ＩＤ、前記第１ユーザへのメッセージとして前記第１ユーザ宛メッセージを入力し、前記あて先ＩＤ入力欄、メッセージ入力欄にそれぞれ入力された前記あて先ＩＤ、前記第１ユーザ宛メッセージと、前記送り主ＩＤとして前記第２ＩＤとを含む前記メッセージ入力要求を前記管理サーバに送信する
請求項４又は５に記載の連絡システム。
【請求項７】
請求項１〜６のいずれかに記載の連絡システムに適用される管理サーバ。
【請求項８】
請求項１〜６のいずれかに記載の連絡システムに適用されるユーザ端末。
【請求項９】
請求項１又は２に記載の連絡システムに適用されるＩＤリーダ。
【請求項１０】
それぞれ複数の設置場所に設置され、自己を識別するＩＤリーダ識別子を保持する複数のＩＤリーダが、第１ユーザに携帯される第１ＩＤタグと自己との距離が所定距離であるときに、前記第１ＩＤタグから第１ＩＤを読み取るステップと、前記第１ＩＤタグは、前記第１ユーザが利用するために予め発行され、自己を識別する前記第１ＩＤを保持し、
前記複数のＩＤリーダが、前記第１ＩＤと、前記ＩＤリーダ識別子と、そのときの時刻を表すチェック時間とを送信するステップと、
前記複数のＩＤリーダとネットワークを介して接続された管理サーバが、前記複数のＩＤリーダのうちの、前記第１ＩＤタグと通信したＩＤリーダ群からの前記第１ＩＤと前記ＩＤリーダ識別子と前記チェック時間とを時系列にＩＤリーダチェック一覧テーブルに格納するステップと、
前記第１ユーザにより前記第１ＩＤが予め通知された第２ユーザに利用され、前記管理サーバとインターネットを介して接続されたユーザ端末が、前記第１ＩＤを含む検索要求を前記管理サーバに送信するステップと、
前記管理サーバが、前記ＩＤリーダチェック一覧テーブルを参照して、前記検索要求に含まれる前記第１ＩＤに対応する前記ＩＤリーダ群の前記ＩＤリーダ識別子と前記チェック時間とを読み出すステップと、
前記管理サーバが、前記複数のＩＤリーダの各々の前記ＩＤリーダ識別子と前記複数の設置場所の各々を表すＩＤリーダ設置場所名とを対応付けるＩＤリーダ設置場所テーブルを参照して、前記ＩＤリーダ群の前記ＩＤリーダ識別子に対応するＩＤリーダ設置場所名群を読み出すステップと、
前記管理サーバが、前記第１ＩＤと前記ＩＤリーダ設置場所名群と前記チェック時間とを時系列で表す検索結果を前記ユーザ端末に送信するステップと
を具備する連絡方法。
【請求項１１】
前記ユーザ端末が、あて先ＩＤとして前記第１ＩＤと、送り主ＩＤとして第２ＩＤと、第１ユーザへのメッセージとして第１ユーザ宛メッセージとを含むメッセージ入力要求を前記管理サーバに送信するステップと、第２ＩＤタグは、前記第２ユーザが利用するために予め発行され、自己を識別する前記第２ＩＤを保持し、
前記管理サーバが、前記メッセージ入力要求に含まれる前記第１ＩＤと前記送り主ＩＤと前記第１ユーザ宛メッセージと、そのときの時刻を表すメッセージ登録時間とをメッセージ一覧テーブルに格納するステップと、
前記第１ユーザに携帯される前記第１ＩＤタグと、前記複数のＩＤリーダのうちの１つのＩＤリーダとの距離が所定距離であるときに、前記１つのＩＤリーダが、前記第１ＩＤタグから前記第１ＩＤを読み取るステップと、
前記１つのＩＤリーダが、前記ＩＤリーダ識別子と、そのときの時刻を表すチェック時間とを送信するステップと、
前記管理サーバが、前記１つのＩＤリーダからの前記第１ＩＤと前記ＩＤリーダ識別子と前記チェック時間とを前記ＩＤリーダチェック一覧テーブルに格納するステップと、
前記管理サーバが、前記メッセージ一覧テーブルに格納されたメッセージの中から、前記メッセージ登録時間が最新の時刻であり、且つ、前記第１ＩＤに対応する前記第１ユーザ宛メッセージを選択するステップと、
前記管理サーバが、前記第１ユーザ宛メッセージを前記１つのＩＤリーダに送信するステップと、複数のメッセージ表示部は、それぞれ前記複数の設置場所に設置され、それぞれ前記複数のＩＤリーダに接続され、
前記１つのＩＤリーダが、前記複数のメッセージ表示部のうちの、前記１つのＩＤリーダに接続されたメッセージ表示部に前記第１ユーザ宛メッセージを表示するステップと
を更に具備する請求項１０に記載の連絡方法。
【請求項１２】
前記ユーザ端末が、前記第２ＩＤと、前記第２ユーザのパスワードとを前記管理サーバに送信するステップと、
前記管理サーバが、複数のユーザと、複数のＩＤと、前記複数のユーザにより予め決定された複数のパスワードとを対応付けるユーザ一覧テーブルを参照して、前記ユーザ端末からの前記第２ＩＤと前記第２ユーザのパスワードとが前記ユーザ一覧テーブルに対応付けられて格納されているとき、前記ユーザ端末と前記管理サーバとの通信を許可する認証結果を送信するステップと
を更に具備する請求項１１に記載の連絡方法。
【請求項１３】
前記ユーザ端末が、前記管理サーバにログイン要求を前記管理サーバに送信するステップと、
前記管理サーバが、前記ログイン要求に応じて、ＩＤ入力欄とパスワード入力欄とを含むログイン画面を表すデータを送信するステップと、
前記ユーザ端末が、前記ログイン画面の前記ＩＤ入力欄、前記パスワード入力欄にそれぞれ前記第２ＩＤ、前記第２ユーザのパスワードを入力し、前記ＩＤ入力欄、前記パスワード入力欄にそれぞれ入力された前記第２ＩＤ、前記第２ユーザのパスワードを前記管理サーバに送信するステップと、
前記管理サーバが、前記ユーザ端末からの前記第２ＩＤと前記第２ユーザのパスワードとが前記ユーザ一覧テーブルに対応付けられて格納されているとき、前記認証結果として前記ユーザ端末に対してログインを許可するステップと
を更に具備する請求項１２に記載の連絡方法。
【請求項１４】
前記ユーザ端末が、前記管理サーバにログインしているとき、検索入力画面要求を前記管理サーバに送信するステップと、
前記管理サーバが、前記検索入力画面要求に応じて、検索ＩＤ入力欄を含む検索入力画面を表すデータを送信するステップと、
前記ユーザ端末が、前記検索入力画面の前記検索ＩＤ入力欄に前記第１ＩＤを入力するステップと、
前記ユーザ端末が、前記検索ＩＤ入力欄に入力された前記第１ＩＤを含む前記検索要求を前記管理サーバに送信するステップと
を更に具備する請求項１３に記載の連絡方法。
【請求項１５】
前記ユーザ端末が、前記管理サーバにログインしているとき、メッセージ入力画面要求を前記管理サーバに送信するステップと、
前記管理サーバが、前記メッセージ入力画面要求に応じて、あて先ＩＤ入力欄とメッセージ入力欄とを含むメッセージ入力画面を表すデータを送信するステップと、
前記ユーザ端末が、前記メッセージ入力画面の前記あて先ＩＤ入力欄、メッセージ入力欄にそれぞれ前記あて先ＩＤとして前記第１ＩＤ、前記第１ユーザへのメッセージとして前記第１ユーザ宛メッセージを入力するステップと、
前記ユーザ端末が、前記あて先ＩＤ入力欄、メッセージ入力欄にそれぞれ入力された前記あて先ＩＤ、前記第１ユーザ宛メッセージと、前記送り主ＩＤとして前記第２ＩＤとを含む前記メッセージ入力要求を前記管理サーバに送信するステップと
を更に具備する請求項１３又は１４に記載の連絡方法。
【請求項１６】
請求項１０〜１５のいずれかに記載の連絡方法の前記管理サーバが実行する各ステップをコンピュータに実行させるコンピュータプログラム。
【請求項１７】
請求項１０〜１５のいずれかに記載の連絡方法の前記ユーザ端末が実行する各ステップをコンピュータに実行させるコンピュータプログラム。
【請求項１８】
請求項１０又は１１に記載の連絡方法の前記ＩＤリーダが実行する各ステップをコンピュータに実行させるコンピュータプログラム。
【発明の詳細な説明】
【技術分野】
【０００１】
本発明は、携帯電話機等で相手と連絡が取れないときに適用される連絡システムに関する。
【背景技術】
【０００２】
現代のスキー場では、どこでも携帯電話機で連絡することができるようになっている。例えば、相手と分かれて滑っているときに、その相手と連絡を取る場合に、その相手の携帯電話機に連絡を入れる。しかし、相手が体を動かしている場合や、相手の周り環境（音楽、騒音、雑音）によっては、携帯電話機の着信音や振動にまったく気付かないことがある。
【０００３】
そうなると、相手と連絡を取ることができるのは、相手が何かの拍子で携帯電話機をチェックするときか、スキー場内を探し回って相手を見つけるしかない。ただスキー場内を探し回るとはいっても、スキー場は広いため、探し出すのは容易ではない。
【０００４】
ユーザの管理に関する文献を紹介する。
【０００５】
特開２００１−２２３７９８号公報には、会場内迷子・待ち合わせ等連絡支援方法が記載されている。会場内迷子・待ち合わせ等連絡支援方法は、会場エリア内に配置する公衆電話機及び各種ゲートからなる複数の端末を用いて、入場チケットの持つ情報を管理サーバで管理するに当たり、入場チケットは、管理サーバの電話番号が記憶されたオートダイヤルテレホンカードとして使用できる固有のＩＤを持たせたＩＣカードであり、入場チケットの発券時に管理サーバに対してグループの登録をする。これにより、予め当該グループ内の仲間との関連付けを行って置き、入場チケットが公衆電話機及び各種ゲートにおいて使用されたときに、当該入場チケットの持つ情報と、当該入場チケットが用いられた当該公衆電話及び各種ゲートの持つ情報と、を管理サーバに送ることで、仲間の行動を把握するグループ内検索、迷子登録、迷子検索及び待ち合わせ場所の指定のいずれかの処理をする、ことを特徴としている。
【０００６】
特開２００６−１６３７８８号公報には、入場者管理方法が記載されている。入場者管理方法は、閉空間施設への入場者の管理を行うものである。この入場者管理方法は、閉空間施設の出入口及び閉空間施設を複数のエリアに区分した各エリアに配置されたＩＣタグセンサを有する無線端末が、入場者が通過する毎に入場者が所持する入場券に内蔵されたＩＣタグから登録ＩＤ、エリア、感知時刻の各情報によるユーザデータを読み取り、情報管理サーバ内に備えられた入場者管理データベースに、無線端末から送信されてきたユーザデータを格納して管理し、入場者管理データベースの内容を管理者用情報端末に表示して入場者の管理を行うことを特徴としている。
【０００７】
特許第３５５３０１４号公報には、遊技場の遊技客登録管理装置が記載されている。遊技場の遊技客登録管理装置は、端末機と、読取手段と、グループ情報記憶手段と、遊技機用読取手段と、遊技客情報記憶手段と、呼出データ作成手段と、呼出データ表示手段と、メッセージ表示手段と、メッセージ出力手段とを備えたことを特徴としている。端末機は、遊技場内に設置され、遊技客が仲間の遊技客をグループ登録し、グループ登録した仲間の遊技客の所在を確認すると共に、グループ登録した仲間の遊技客に対してメッセージを送信するために使用する。読取手段は、この端末機に設けられ、携帯可能な記憶媒体に記憶された個人情報を読取る。グループ情報記憶手段は、端末機に対する遊技客のグループ登録操作に応じて当該端末機から出力される登録信号を入力したときは、読取手段からの個人情報に基づいて複数の遊技客をグループ化して記憶する。遊技機用読取手段は、遊技機に１対１で対応して設けられ記憶媒体に記憶された個人情報を読取る。遊技客情報記憶手段は、この遊技機用読取手段が読取った個人情報に基づいて遊技客と当該遊技客が遊技している遊技機とを対応して記憶する。呼出データ作成手段は、端末機に対する遊技客のグループ呼出操作に応じて当該端末機から出力される呼出信号を入力したときは、グループ情報記憶手段及び遊技客情報記憶手段の記憶情報に基づいてグループ登録された遊技客と当該遊技客が遊技している遊技機との対応関係を示す呼出データを作成する。呼出データ表示手段は、この呼出データ作成手段により作成された呼出データを表示する。メッセージ表示手段は、遊技機の近傍に１対１で対応して設けられている。メッセージ出力手段は、端末機に対する遊技客のメッセージ送信操作に応じて当該端末機から出力されるメッセージ要求信号を入力したときは、呼出データ表示手段に表示された呼出データが示す遊技客が遊技する遊技機に対応したメッセージ表示手段に所定のメッセージを出力する。
【先行技術文献】
【特許文献】
【０００８】
【特許文献１】特開２００１−２２３７９８号公報
【特許文献２】特開２００６−１６３７８８号公報
【特許文献３】特許第３５５３０１４号公報
【発明の概要】
【発明が解決しようとする課題】
【０００９】
本発明の課題は、携帯電話機等で相手と連絡が取れなくなっても、相手の最新の居場所を予測でき、相手を探す範囲を絞ることができる連絡システムを提供することにある。
【課題を解決するための手段】
【００１０】
本発明の連絡システムは、第１ＩＤタグと、複数のＩＤリーダと、管理サーバと、ユーザ端末とを具備している。第１ＩＤタグは、第１ユーザが利用するために予め発行され、自己を識別する第１ＩＤを保持する。複数のＩＤリーダは、それぞれ複数の設置場所に設置され、自己を識別するＩＤリーダ識別子を保持する。複数のＩＤリーダは、第１ユーザに携帯される第１ＩＤタグと自己との距離が所定距離であるときに、第１ＩＤタグから第１ＩＤを読み取り、第１ＩＤと、ＩＤリーダ識別子と、そのときの時刻を表すチェック時間とを送信する。管理サーバは、複数のＩＤリーダとネットワークを介して接続されている。ユーザ端末は、第１ユーザにより第１ＩＤが予め通知された第２ユーザに利用され、管理サーバとインターネットを介して接続されている。
管理サーバは、ＩＤリーダチェック一覧テーブルと、ＩＤリーダ設置場所テーブルとを具備している。ＩＤリーダ設置場所テーブルには、複数のＩＤリーダの各々のＩＤリーダ識別子と複数の設置場所の各々を表すＩＤリーダ設置場所名とが対応付けて格納されている。
まず、位置登録処理が実行される。管理サーバは、複数のＩＤリーダのうちの、第１ＩＤタグと通信したＩＤリーダ群からの第１ＩＤとＩＤリーダ識別子とチェック時間とを時系列に受信し、それらを時系列にＩＤリーダチェック一覧テーブルに格納する。
次に、位置確認処理が実行される。ユーザ端末は、第１ＩＤを含む検索要求を管理サーバに送信する。管理サーバは、ユーザ端末からの検索要求を受信し、ＩＤリーダチェック一覧テーブルに格納されたＩＤリーダ識別子の中から、検索要求に含まれる第１ＩＤに対応するＩＤリーダ群のＩＤリーダ識別子とチェック時間とを読み出す。管理サーバは、ＩＤリーダ設置場所テーブルに格納されたＩＤリーダ設置場所名の中から、ＩＤリーダ群のＩＤリーダ識別子に対応するＩＤリーダ設置場所名群を読み出し、第１ＩＤとＩＤリーダ設置場所名群とチェック時間とを時系列で表す検索結果をユーザ端末に送信する。
【００１１】
本発明の連絡システムは、更に、複数のメッセージ表示部と、第２ＩＤタグとを具備している。複数のメッセージ表示部は、それぞれ複数の設置場所に設置され、それぞれ複数のＩＤリーダに接続されている。第２ＩＤタグは、第２ユーザが利用するために予め発行され、自己を識別する第２ＩＤを保持する。管理サーバは、メッセージ一覧テーブルを更に具備している。
まず、メッセージ入力処理が実行される。ユーザ端末は、あて先ＩＤとして第１ＩＤと、送り主ＩＤとして第２ＩＤと、第１ユーザへのメッセージとして第１ユーザ宛メッセージとを含むメッセージ入力要求を管理サーバに送信する。管理サーバは、ユーザ端末からのメッセージ入力要求を受信し、メッセージ入力要求に含まれる第１ＩＤと送り主ＩＤと第１ユーザ宛メッセージと、そのときの時刻を表すメッセージ登録時間とをメッセージ一覧テーブルに格納する。
次に、位置登録処理とメッセージ通知処理とが実行される。第１ユーザに携帯される第１ＩＤタグと、複数のＩＤリーダのうちの１つのＩＤリーダとの距離が所定距離であるときに、１つのＩＤリーダは、第１ＩＤタグから第１ＩＤを読み取り、ＩＤリーダ識別子と、そのときの時刻を表すチェック時間とを送信する。管理サーバは、上記１つのＩＤリーダからの第１ＩＤとＩＤリーダ識別子とチェック時間とを受信し、それらをＩＤリーダチェック一覧テーブルに格納する。管理サーバは、メッセージ一覧テーブルに格納されたメッセージの中から、メッセージ登録時間が最新の時刻であり、且つ、第１ＩＤに対応する第１ユーザ宛メッセージを選択し、第１ユーザ宛メッセージを上記１つのＩＤリーダに送信する。上記１つのＩＤリーダは、複数のメッセージ表示部のうちの、１つのＩＤリーダに接続されたメッセージ表示部に第１ユーザ宛メッセージを表示する。
【発明の効果】
【００１２】
本発明の連絡システムは、位置登録処理が実行されることにより、第１ユーザから居場所の連絡が時系列で行われるため、位置確認処理が実行されることにより、第２ユーザは、第１ユーザ（相手）が最近どの場所にいたかを確認することができる。これにより、携帯電話機等で相手と連絡が取れなくなっても、相手が移動した形跡から最新の居場所を予測でき、相手を探す範囲を絞ることができる。
【００１３】
本発明の連絡システムは、メッセージ入力処理が実行されることにより、第２ユーザは、第１ユーザ（相手）にメッセージを送ることができるため、位置登録処理、メッセージ通知処理が実行されることにより、相手は、ＩＤがチェックされるときにその場所から目に付きやすい位置でメッセージを確認することができる。したがって、携帯電話機等で相手と連絡が取れなくなっても、相手に対してメッセージを送ることにより、それで待ち合わせをしたりすることができる。
【図面の簡単な説明】
【００１４】
【図１】図１は、本発明の実施形態による連絡システムの構成を示している。
【図２】図２は、複数のＩＤリーダ２−１〜２−６の各々の構成を示している。
【図３】図３は、ユーザ端末５の構成を示している。
【図４】図４は、管理サーバ４の構成を示している。
【図５】図５は、ユーザ一覧テーブル４６を示している。
【図６】図６は、ＩＤリーダチェック一覧テーブル４７を示している。
【図７】図７は、メッセージ一覧テーブル４８を示している。
【図８】図８は、ＩＤリーダ設置場所テーブル４９を示している。
【図９】図９は、ＩＤリーダ２−１から管理サーバ４に送信されるＩＤ、ＩＤリーダ識別子、チェック時間を示している。
【図１０】図１０は、ログイン画面６１を示している。
【図１１】図１１は、検索入力画面６２を示している。
【図１２】図１２は、検索結果画面６３を示している。
【図１３】図１３は、メッセージ入力画面６４を示している。
【図１４】図１４は、メッセージ表示部３−４に表示されるメッセージを示している。
【図１５】図１５は、本発明の実施形態による連絡システムの動作として、位置登録・メッセージ通知処理を示すフローチャートである。
【図１６】図１６は、本発明の実施形態による連絡システムの動作として、認証処理を示すフローチャートである。
【図１７】図１７は、本発明の実施形態による連絡システムの動作として、位置確認処理を示すフローチャートである。
【図１８】図１８は、本発明の実施形態による連絡システムの動作として、メッセージ入力処理を示すフローチャートである。
【発明を実施するための形態】
【００１５】
以下に添付図面を参照して、本発明の実施形態による連絡システムについて詳細に説明する。
【００１６】
［構成］
図１は、本発明の実施形態による連絡システムの構成を示している。本発明の実施形態による連絡システムは、第１ＩＤタグ１−１と、第２ＩＤタグ１−２と、複数のＩＤリーダと、複数のメッセージ表示部と、管理サーバ４と、ユーザ端末５とを具備している。
【００１７】
第１ＩＤタグ１−１は、自己を識別する第１ＩＤを保持している。この第１ＩＤタグ１−１は、第１ユーザＡが利用するために、管理サーバ４を管理する管理業者によって予め発行される。また、第１ＩＤは、管理業者によって第１ユーザＡに予め通知される。
【００１８】
第２ＩＤタグ１−２は、自己を識別する第２ＩＤを保持している。この第２ＩＤタグ１−２は、第２ユーザＢが利用するために、管理業者によって予め発行される。また、第２ＩＤは、管理業者によって第２ユーザＢに予め通知される。
【００１９】
第１ＩＤタグ１−１、第２ＩＤタグ１−２は、ＩＤを保持するＩＣチップ搭載のカードでも、ＩＤとしてバーコードやＱＲコード等を用いてワッペンやバッジ等の形状でもよい。
【００２０】
複数のＩＤリーダは６個存在するものとし、これらを複数のＩＤリーダ２−１〜２−６と称する。複数のＩＤリーダ２−１〜２−６は、それぞれ複数の設置場所８−１〜８−６に設置され、自己を識別するＩＤリーダ識別子を保持している。複数のＩＤリーダ２−１〜２−６は、例えば第１ユーザＡに携帯される第１ＩＤタグ１−１と自己との距離が所定距離であるときに、第１ＩＤタグ１−１から第１ＩＤを読み取り、ＩＤリーダ識別子と、そのときの時刻を表すチェック時間とを送信する。
【００２１】
複数のメッセージ表示部は６個存在するものとし、これらを複数のメッセージ表示部３−１〜３−６と称する。複数のメッセージ表示部３−１〜３−６は、それぞれ複数の設置場所８−１〜８−６に設置され、それぞれ複数のＩＤリーダ２−１〜２−６に接続されている。
【００２２】
複数のＩＤリーダ２−１〜２−６と複数のメッセージ表示部３−１〜３−６は、スキー場に設けられているものとする。この場合、第１ＩＤタグ１−１、第２ＩＤタグ１−２はリフト券として使われるものとする。
【００２３】
管理サーバ４は、複数のＩＤリーダ２−１〜２−６とネットワーク６を介して接続されている。
【００２４】
ユーザ端末５は、例えば第２ユーザＢに利用され、管理サーバ４とインターネット７を介して接続されている。インターネット７ではＷｅｂページが使用される。
【００２５】
第１ユーザＡ、第２ユーザＢは、互いにＩＤを教えあっているものとする。即ち、第１ユーザＡには、第２ユーザＢにより第２ＩＤが予め通知されているものとする。第２ユーザＢには、第１ユーザＡにより第１ＩＤが予め通知されているものとする。
【００２６】
図２は、複数のＩＤリーダ２−１〜２−６の各々の構成を示している。ＩＤリーダ２−ｊ（ｊ＝１、２、…、６）は、コンピュータであり、ＣＰＵ（Ｃｅｎｔｒａｌ  Ｐｒｏｃｅｓｓｉｎｇ  Ｕｎｉｔ）２０と、記録媒体である記憶部２１とを具備している。記憶部２１には、コンピュータに実行させるためのコンピュータプログラム２２と上述のＩＤリーダ識別子とが記憶されている。ＣＰＵ２０は、起動時などに記憶部２１からコンピュータプログラム２２を読み取って実行する。
【００２７】
図３は、ユーザ端末５の構成を示している。ユーザ端末５は、パーソナルコンピュータ又は携帯電話機等のモバイル端末であり、ＣＰＵ５０と、記録媒体である記憶部５１と、入力部５４と、表示部５５とを具備している。記憶部５１には、コンピュータに実行させるためのコンピュータプログラム５２が記憶されている。ＣＰＵ５０は、起動時などに記憶部５１からコンピュータプログラム５２を読み取って実行する。
【００２８】
図４は、管理サーバ４の構成を示している。管理サーバ４は、コンピュータであり、ＣＰＵ４０と、記録媒体である記憶部４１とを具備している。記憶部４１には、コンピュータに実行させるためのコンピュータプログラム４２とデータベース４５とが記憶されている。ＣＰＵ４０は、起動時などに記憶部４１からコンピュータプログラム４２を読み取って実行する。
【００２９】
データベース４５は、ユーザ一覧テーブル４６、ＩＤリーダチェック一覧テーブル４７、メッセージ一覧テーブル４８、ＩＤリーダ設置場所テーブル４９を含んでいる。
【００３０】
図５は、ユーザ一覧テーブル４６を示している。ユーザ一覧テーブル４６には、複数のユーザＡ、Ｂ、…と、複数のＩＤ“０００００００ａ１”、“０００００００ａ２”、…と、複数のユーザにより予め決定された複数のパスワード“ａ１ａ１”、“ｐａｓｓ”、…とが対応付けられて格納されている。ここで、ＩＤ“０００００００ａ１”を第１ＩＤと称し、ＩＤ“０００００００ａ２”を第２ＩＤと称する。
【００３１】
図６は、ＩＤリーダチェック一覧テーブル４７を示している。ＩＤリーダチェック一覧テーブル４７には、後述のＩＤ、ＩＤリーダ識別子、チェック時間が格納される。
【００３２】
図７は、メッセージ一覧テーブル４８を示している。メッセージ一覧テーブル４８には、後述のあて先ＩＤ、送り主ＩＤ、メッセージ登録時間、メッセージが格納される。
【００３３】
図８は、ＩＤリーダ設置場所テーブル４９を示している。ＩＤリーダ設置場所テーブル４９には、複数のＩＤリーダ２−１〜２−６の各々のＩＤリーダ識別子と複数の設置場所８−１〜８−６の各々を表すＩＤリーダ設置場所名とが対応付けられて格納されている。ここで、複数のＩＤリーダ２−１〜２−６のＩＤリーダ識別子をそれぞれＩＤリーダ識別子“ａａ０１”〜“ａａ０６”と称する。また、複数の設置場所８−１〜８−６は、それぞれ第１〜３リフトの乗り場、第１、２レストランの入口、休憩所の入口であるものとする。この場合、複数の設置場所８−１〜８−６のＩＤリーダ設置場所名をそれぞれＩＤリーダ設置場所名“１〜３番乗り場”、“第１、２レストラン”、“休憩所”と称する。
【００３４】
［動作］
図１５は、本発明の実施形態による連絡システムの動作として、位置登録・メッセージ通知処理を示すフローチャートである。
【００３５】
まず、位置登録処理が実行される。
【００３６】
例えば、第１ユーザＡは、第１ＩＤタグ１−１を携帯しながら、第１リフトに移動し、その後に第２リフトに移動したものとする。この場合、ＩＤリーダ２−１のＣＰＵ２０は、第１ユーザＡに携帯される第１ＩＤタグ１−１と自己との距離が所定距離であるときに、第１ＩＤタグ１−１から第１ＩＤ“０００００００ａ１”を読み取り（ステップＳ１）、図９に示されるように、第１ＩＤ“０００００００ａ１”と、ＩＤリーダ識別子“ａａ０１”と、そのときの時刻を表すチェック時間“１２：３０”とを送信する（ステップＳ２）。ＩＤリーダ２−２のＣＰＵ２０は、第１ユーザＡに携帯される第１ＩＤタグ１−１と自己との距離が所定距離であるときに、第１ＩＤタグ１−１から第１ＩＤ“０００００００ａ１”を読み取り（ステップＳ１）、第１ＩＤ“０００００００ａ１”と、ＩＤリーダ識別子“ａａ０２”と、そのときの時刻を表すチェック時間“１２：４５”とを送信する（ステップＳ２）。
【００３７】
管理サーバ４のＣＰＵ４０は、複数のＩＤリーダ２−１〜２−６のうちの、第１ＩＤタグ１−１と通信したＩＤリーダ群２−１、２−２からの第１ＩＤ“０００００００ａ１”とＩＤリーダ識別子“ａａ０１”、“ａａ０２”とチェック時間“１２：３０”、“１２：４５”とを時系列に受信し、それらを時系列にＩＤリーダチェック一覧テーブル４７に格納する（ステップＳ３）。
【００３８】
次に、メッセージ通知処理が実行される。
【００３９】
ＣＰＵ４０は、メッセージ一覧テーブル４８を参照して、第１ユーザＡ宛のメッセージがあるか否かを確認する（ステップＳ４）。第１ユーザＡ宛のメッセージがない場合、メッセージ通知処理が終了する（ステップＳ４−ＮＯ、Ｓ６−ＮＯ）。
【００４０】
図１６は、本発明の実施形態による連絡システムの動作として、認証処理を示すフローチャートである。
【００４１】
ユーザ端末５のＣＰＵ５０は、第２ユーザＢの入力部５４の操作により、管理サーバ４にログイン要求を管理サーバ４に送信する（ステップＳ１１）。
【００４２】
管理サーバ４のＣＰＵ４０は、ログイン要求に応じて、図１０に示されるように、ＩＤ入力欄とパスワード入力欄とを含むログイン画面６１を表すデータを送信する（ステップＳ１２）。
【００４３】
ユーザ端末５のＣＰＵ５０は、ログイン画面６１を表示部５５に表示する。ＣＰＵ５０は、第２ユーザＢの入力部５４の操作により、ログイン画面６１のＩＤ入力欄、パスワード入力欄にそれぞれ第２ＩＤ“０００００００ａ２”、第２ユーザＢのパスワード“ｐａｓｓ”を入力し、ＩＤ入力欄、パスワード入力欄にそれぞれ入力された第２ＩＤ“０００００００ａ２”、第２ユーザＢのパスワード“ｐａｓｓ”を管理サーバ４に送信する（ステップＳ１３）。
【００４４】
管理サーバ４のＣＰＵ４０は、ユーザ端末５からの第２ＩＤ“０００００００ａ２”と第２ユーザＢのパスワード“ｐａｓｓ”とがユーザ一覧テーブル４６に対応付けられて格納されていないとき（ステップＳ１４−ＮＯ）、無視するか、エラーを表す旨をユーザ端末５に通知する。
【００４５】
一方、管理サーバ４のＣＰＵ４０は、ユーザ端末５からの第２ＩＤ“０００００００ａ２”と第２ユーザＢのパスワード“ｐａｓｓ”とがユーザ一覧テーブル４６に対応付けられて格納されているとき（ステップＳ１４−ＹＥＳ）、ユーザ端末５と管理サーバ４との通信を許可する認証結果を送信する。即ち、認証結果としてユーザ端末５に対してログインを許可する（ステップＳ１５）。
【００４６】
図１７は、本発明の実施形態による連絡システムの動作として、位置確認処理を示すフローチャートである。
【００４７】
ユーザ端末５のＣＰＵ５０は、管理サーバ４にログインしているとき、第２ユーザＢの入力部５４の操作により、検索入力画面要求を管理サーバ４に送信する（ステップＳ２１）。
【００４８】
管理サーバ４のＣＰＵ４０は、検索入力画面要求に応じて、図１１に示されるように、検索ＩＤ入力欄を含む検索入力画面６２を表すデータを送信する（ステップＳ２２）。
【００４９】
ユーザ端末５のＣＰＵ５０は、検索入力画面６２を表示部５５に表示する。ＣＰＵ５０は、第２ユーザＢの入力部５４の操作により、検索入力画面６２の検索ＩＤ入力欄に第１ＩＤ“０００００００ａ１”を入力し、検索ＩＤ入力欄に入力された第１ＩＤ“０００００００ａ１”を含む検索要求を管理サーバ４に送信する（ステップＳ２３）。
【００５０】
管理サーバ４のＣＰＵ４０は、ユーザ端末５からの検索要求を受信する。ＣＰＵ４０は、ＩＤリーダチェック一覧テーブル４７に格納されたＩＤリーダ識別子の中から、検索要求に含まれる第１ＩＤ“０００００００ａ１”に対応するＩＤリーダ群２−１、２−２のＩＤリーダ識別子“ａａ０１”、“ａａ０２”とチェック時間“１２：３０”、“１２：４５”とを読み出す。ＣＰＵ４０は、ＩＤリーダ設置場所テーブル４９に格納されたＩＤリーダ設置場所名“１〜３番乗り場”、“第１、２レストラン”、“休憩所”の中から、ＩＤリーダ群２−１、２−２のＩＤリーダ識別子“ａａ０１”、“ａａ０２”に対応するＩＤリーダ設置場所名群“１番乗り場”、“２番乗り場”を読み出す。図１２に示されるように、ＣＰＵ４０は、第１ＩＤ“０００００００ａ１”とＩＤリーダ設置場所名群“１番乗り場”、“２番乗り場”とチェック時間“１２：３０”、“１２：４５”とを時系列で表す検索結果として検索結果画面６３を生成する。ＣＰＵ４０は、検索結果画面６３を表すデータをユーザ端末５に送信する（ステップＳ２４）。
【００５１】
ユーザ端末５のＣＰＵ５０は、検索結果画面６３を表示部５５に表示する（ステップＳ２５）。
【００５２】
図１８は、本発明の実施形態による連絡システムの動作として、メッセージ入力処理を示すフローチャートである。
【００５３】
ユーザ端末５のＣＰＵ５０は、管理サーバ４にログインしているとき、第２ユーザＢの入力部５４の操作により、メッセージ入力画面要求を管理サーバ４に送信する（ステップＳ３１）。
【００５４】
管理サーバ４のＣＰＵ４０は、メッセージ入力画面要求に応じて、図１３に示されるように、あて先ＩＤ入力欄とメッセージ入力欄とを含むメッセージ入力画面６４を表すデータを送信する（ステップＳ３２）。
【００５５】
ユーザ端末５のＣＰＵ５０は、メッセージ入力画面６４を表示部５５に表示する。ＣＰＵ５０は、第２ユーザＢの入力部５４の操作により、メッセージ入力画面６４のあて先ＩＤ入力欄、メッセージ入力欄にそれぞれあて先ＩＤとして第１ＩＤ“０００００００ａ１”、第１ユーザＡへのメッセージとして第１ユーザ宛メッセージ“○○です。第１レストランに１３時までにいきます。”を入力し、あて先ＩＤ入力欄、メッセージ入力欄にそれぞれ入力されたあて先ＩＤ“０００００００ａ１”、第１ユーザ宛メッセージ“○○です。第１レストランに１３時までにいきます。”と、送り主ＩＤとして第２ＩＤ“０００００００ａ２”とを含むメッセージ入力要求を管理サーバ４に送信する（ステップＳ３３）。
【００５６】
管理サーバ４のＣＰＵ４０は、ユーザ端末５からのメッセージ入力要求を受信し、メッセージ入力要求に含まれる第１ＩＤ“０００００００ａ１”と送り主ＩＤ“０００００００ａ２”と第１ユーザ宛メッセージ“○○です。第１レストランに１３時までにいきます。”と、そのときの時刻を表すメッセージ登録時間“１２：４０”とをメッセージ一覧テーブル４８に格納する（ステップＳ３４）。
【００５７】
ここで、上述の位置登録・メッセージ通知処理が実行される場合について説明する。
【００５８】
まず、位置登録処理が実行される。
【００５９】
例えば、第１ユーザＡは、第１ＩＤタグ１−１を携帯しながら、第１、２リフトに移動した後に第３リフトに移動したものとする。この場合、ＩＤリーダ２−３のＣＰＵ２０は、第１ユーザＡに携帯される第１ＩＤタグ１−１と自己との距離が所定距離であるときに、第１ＩＤタグ１−１から第１ＩＤ“０００００００ａ１”を読み取り（ステップＳ１）、第１ＩＤ“０００００００ａ１”と、ＩＤリーダ識別子“ａａ０３”と、そのときの時刻を表すチェック時間“１３：００”とを送信する（ステップＳ２）。
【００６０】
管理サーバ４のＣＰＵ４０は、ＩＤリーダ２−３からの第１ＩＤ“０００００００ａ１”とＩＤリーダ識別子“ａａ０３”とチェック時間“１３：００”とを受信し、それらをＩＤリーダチェック一覧テーブル４７に格納する（ステップＳ３）。
【００６１】
次に、メッセージ通知処理が実行される。
【００６２】
ＣＰＵ４０は、メッセージ一覧テーブル４８を参照して、第１ユーザＡ宛のメッセージがあるか否かを確認する（ステップＳ４）。そこで、ＣＰＵ４０は、メッセージ一覧テーブル４８に格納されたメッセージの中から、メッセージ登録時間“１２：４０”が最新の時刻であり、且つ、ＩＤリーダ２−３からの第１ＩＤ“０００００００ａ１”に対応する第１ユーザ宛メッセージ“○○です。第１レストランに１３時までにいきます。”を選択する。即ち、第１ユーザＡ宛のメッセージがある（ステップＳ４−ＹＥＳ）。この場合、ＣＰＵ４０は、第１ユーザ宛メッセージ“○○です。第１レストランに１３時までにいきます。”をＩＤリーダ２−３に送信する（ステップＳ５）。
【００６３】
図１４に示されるように、ＩＤリーダ２−３のＣＰＵ２０は、それに接続されたメッセージ表示部３−４に第１ユーザ宛メッセージ“○○です。第１レストランに１３時までにいきます。”を表示する（ステップＳ６−ＹＥＳ、Ｓ７）。
【００６４】
［効果］
以上の説明により、本発明の実施形態による連絡システムは、位置登録処理が実行されることにより、第１ユーザから居場所の連絡が時系列で行われるため、位置確認処理が実行されることにより、第２ユーザは、第１ユーザ（相手）が最近どの場所にいたかを確認することができる。これにより、携帯電話機等で相手と連絡が取れなくなっても、相手が移動した形跡から最新の居場所を予測でき、相手を探す範囲を絞ることができる。
【００６５】
また、本発明の実施形態による連絡システムは、メッセージ入力処理が実行されることにより、第２ユーザは、第１ユーザ（相手）にメッセージを送ることができるため、位置登録処理、メッセージ通知処理が実行されることにより、相手は、ＩＤがチェックされるときにその場所から目に付きやすい位置でメッセージを確認することができる。したがって、携帯電話機等で相手と連絡が取れなくなっても、相手に対してメッセージを送ることにより、それで待ち合わせをしたりすることができる。
【００６６】
［対比］
特開２００１−２２３７９８号公報に記載された技術（以下、従来技術と称する）では、携帯電話機を利用しないことを特徴としているが、本発明では、携帯電話機を利用することができる。従来技術では、公衆電話機に有料の携帯電話機やパーソナルコンピュータも含まれるが、本発明では、個人の携帯電話機やパーソナルコンピュータ等のインターネットを利用できる端末であれば、有料でなくとも対応できる。従来技術では、管理サーバに対して予めグループ登録を行うことを特徴としているが、その場で新しく仲間ができたときは、グループ登録していないので対応できない。一方、本発明では、相手のＩＤが分かればよいので、その場で新しく仲間ができたときは、互いにＩＤを教えあうことにより対応できる。
【符号の説明】
【００６７】
１−１    第１ＩＤタグ、
１−２    第２ＩＤタグ、
２−１〜２−６    ＩＤリーダ、
３−１〜３−６    メッセージ表示部、
４    管理サーバ、
５    ユーザ端末、
６    ネットワーク、
７    インターネット、
８−１〜８−６    設置場所、
２０    ＣＰＵ、
２１    記憶部、
２２    コンピュータプログラム、
４０    ＣＰＵ、
４１    記憶部、
４２    コンピュータプログラム、
４５    データベース、
４６    ユーザ一覧テーブル、
４７    ＩＤリーダチェック一覧テーブル、
４８    メッセージ一覧テーブル、
４９    ＩＤリーダ設置場所テーブル、
５０    ＣＰＵ、
５１    記憶部、
５２    コンピュータプログラム、
５４    入力部、
５５    表示部、
６１    ログイン画面、
６２    検索入力画面、
６３    検索結果画面、
６４    メッセージ入力画面
【図１】
2010212816.tif 000003
【図２】
2010212816.tif 000004
【図３】
2010212816.tif 000005
【図４】
2010212816.tif 000006
【図５】
2010212816.tif 000007
【図６】
2010212816.tif 000008
【図７】
2010212816.tif 000009
【図８】
2010212816.tif 000010
【図９】
2010212816.tif 000011
【図１０】
2010212816.tif 000012
【図１１】
2010212816.tif 000013
【図１２】
2010212816.tif 000014
【図１３】
2010212816.tif 000015
【図１４】
2010212816.tif 000016
【図１５】
2010212816.tif 000017
【図１６】
2010212816.tif 000018
【図１７】
2010212816.tif 000019
【図１８】
2010212816.tif 000020